(57)【要約】【課題】被保持部材との掛止が解除されることを防止して、被保持部材が床面まで落下することを防止することができる落下防止部材及び該落下防止部材を備える照明装置を提供する。【解決手段】被保持部材の落下を防止すべく、該被保持部材を保持部材に保持することが可能なように構成された落下防止部材１において、被保持部材の衝撃の防止の際に生じる衝撃を吸収するコイルばね１２を備えている。コイルばね１２を被保持部材に応じて適切に設定することにより、被保持部材の落下が制限されるときに生じる衝撃を、コイルばね１２の伸縮又は変形に伴って消費されるエネルギとして吸収することができ、フック１１に加わる力を小さくすることができる。この結果、フック１１の掛止部１１ａと押え部１１ｃとが離隔して被保持部材とフック１１との掛止が解除されることを防止することができ、被保持部材が床面まで落下することを防止することができる。【選択図】図１
2010009984.tif 000002
【特許請求の範囲】
【請求項１】
照明装置等の被保持部材が落下して床面等に衝突するのを防止すべく、前記被保持部材を保持部材に保持する落下防止部材において、前記被保持部材の衝突の防止の際に生じる前記落下防止部材に対する衝撃を吸収する衝撃吸収手段を備えることを特徴とする落下防止部材。
【請求項２】
前記被保持部材を掛止する掛止体を備え、
前記衝撃吸収手段は、前記被保持部材の衝突の防止の際に生じる衝撃を吸収することにより、前記掛止体が変形して前記被保持部材の掛止が解除されるのを防止することを特徴とする請求項１に記載の落下防止部材。
【請求項３】
前記被保持部材を掛止する掛止体と、該被保持部材を前記保持部材に懸吊すべく該保持部材に一側にて接続されるワイヤとを備え、前記衝撃吸収手段は、前記ワイヤの他側又は中途に設けてあることを特徴とする請求項１または２に記載の落下防止部材。
【請求項４】
前記衝撃吸収手段は、コイルばねであることを特徴とする請求項１から３の何れか一つに記載の落下防止部材。
【請求項５】
前記衝撃吸収手段は、その伸長方向に交叉する方向に複数のスリットが並設された板状のばねであることを特徴とする請求項１から３の何れか一つに記載の落下防止部材。
【請求項６】
前記衝撃吸収手段は、屈曲したワイヤであることを特徴とする請求項１から３の何れか一つに記載の落下防止部材。
【請求項７】
前記衝撃吸収手段は、複数の衝撃吸収体を直列又は並列に連結してなることを特徴とする請求項１から６の何れか一つに記載の落下防止部材。
【請求項８】
光源を有する照明装置本体の落下を防止すべく、該照明装置本体を落下防止部材により保持部材に保持することが可能なように構成された照明装置において、前記落下防止部材は、請求項１から７の何れか一つに記載の落下防止部材であることを特徴とする照明装置。
【発明の詳細な説明】
【技術分野】
【０００１】
本発明は、被保持部材が落下して床面等に衝突するのを防止すべく、該被保持部材を保持部材に保持することが可能なように構成された落下防止部材及び該落下防止部材を備える照明装置に関する。
【背景技術】
【０００２】
天井に開口された装着孔に装着されるダウンライト等の照明装置は、板ばね等の装着体により前記装着孔に固定してある。このように高所に設置して用いられる照明装置は、地震等の災害時に、装着体が照明装置を保持できないことにより、又は天井の破損により、天井から落下する虞があった。このため、このような照明装置には、一般に、照明装置が床面まで落下することを防止すべく、落下防止部材が設けてある（例えば、特許文献１参照）。
【０００３】
特許文献１に開示された照明装置は、光源である蛍光灯が収納された器具本体（照明装置本体）を備えており、劇場、スタジオにおいて広い範囲を照らすために用いられる所謂フラッドライトである。この照明装置の器具本体に設けられた腕には、フック（掛止体）及び該フックに一端が連結されたワイヤを有する落下防止部材が取付けてある。照明装置は、落下防止部材の一側を器具本体に、他側を保持部材に夫々取り付け、保持部材にワイヤにて器具本体を保持している。
【特許文献１】特開２００７−１０３２３９号公報
【発明の開示】
【発明が解決しようとする課題】
【０００４】
ところで、被保持部材である照明装置本体が落下し始め、落下防止部材により床面に衝突しないように懸吊して落下が制限されるときに、落下防止部材に大きな力が加わる。特許文献１に開示された照明装置においては、この大きな力がそのままフックに作用してしまうため、フックの口が開いて、照明装置本体が床面まで落下して衝突してしまうという虞があった。
【０００５】
本発明は斯かる事情に鑑みてなされたものであり、落下防止部材と被保持部材との掛止が解除されることを防止して、被保持部材が床面まで落下することを防止することができる落下防止部材及び該落下防止部材を備える照明装置を提供することを目的とする。
【課題を解決するための手段】
【０００６】
本発明に係る落下防止部材は、照明装置等の被保持部材が落下して床面等に衝突するのを防止すべく、前記被保持部材を保持部材に保持する落下防止部材において、前記被保持部材の衝突の防止の際に生じる前記落下防止部材に対する衝撃を吸収する衝撃吸収手段を備えることを特徴とする。
【０００７】
本発明にあっては、被保持部材が床面等に衝突しないように落下が制限されるときに生じる落下防止部材に対する衝撃を衝撃吸収手段により吸収しているから、落下防止部材の被保持部材との掛止部分に加わる力を小さくすることができる。この結果、落下防止部材と被保持部材との掛止が解除されることを防止して被保持部材を保持部材に保持することができ、被保持部材が床面まで落下することを防止することができる。
【０００８】
本発明に係る落下防止部材は、前記被保持部材を掛止する掛止体を備え、前記衝撃吸収手段は、前記被保持部材の衝突の防止の際に生じる衝撃を吸収することにより、前記掛止体が変形して前記被保持部材の掛止が解除されるのを防止することを特徴とする。
【０００９】
本発明にあっては、被保持部材が床面等に衝突しないように落下が制限されるときに生じる落下防止部材に対する衝撃を衝撃吸収手段により吸収しているから、落下防止部材の掛止体に加わる力を小さくすることができ、掛止体の変形を防止して被保持部材との掛止が解除されることを防止することができる。この結果、被保持部材を保持部材に保持することができ、被保持部材が床面まで落下することを防止することができる。
【００１０】
本発明に係る落下防止部材は、前記被保持部材を掛止する掛止体と、該被保持部材を前記保持部材に懸吊すべく該保持部材に一側にて接続されるワイヤとを備え、前記衝撃吸収手段は、前記ワイヤの他側又は中途に設けてあることを特徴とする。
【００１１】
本発明にあっては、被保持部材の落下が制限されるときに生じる衝撃を衝撃吸収手段により吸収しているから、落下防止部材の掛止体に加わる力を小さくすることができ、掛止体と被保持部材との掛止が解除されることを防止して被保持部材が床面まで落下することを防止することができる。保持部材に一側にて接続されるワイヤの他側又は中途に衝撃吸収手段を設けているから、天井裏の梁等の保持部材に落下防止部材を取付けるときに、衝撃吸収手段が邪魔にならず、取付けが容易である。また、衝撃吸収手段の作用の様子（変形又は破損）を室内側から容易に確認することができる。
【００１２】
本発明に係る落下防止部材は、前記衝撃吸収手段は、コイルばねであることを特徴とする。
【００１３】
本発明にあっては、被保持部材の落下が制限されるときに生じる衝撃を、コイルばねの伸縮又は不可逆的変形に伴って消費されるエネルギとして吸収するから、コイルばねのみという簡易な構成の衝撃吸収手段により被保持部材の落下が制限されるときに生じる衝撃を吸収することができる。
【００１４】
本発明に係る落下防止部材は、前記衝撃吸収手段は、その伸長方向に交叉する方向に複数のスリットが並設された板状のばねであることを特徴とする。
【００１５】
本発明にあっては、被保持部材の落下が制限されるときに生じる衝撃を、その伸長方向に交叉する方向に複数のスリットが並設された板状のばねの伸縮又は変形に伴って消費されるエネルギとして吸収するから、板状のばねのみという簡易な構成の衝撃吸収手段により被保持部材の落下が制限されるときに生じる衝撃を吸収することができる。また、ばねに設けた伸長方向に交叉する方向の複数のスリットを適切に設けることにより、被保持部材の設置場所に応じて、被保持部材の落下距離、振幅等の衝撃吸収の度合いを適切に設定することが可能となる。
【００１６】
本発明に係る落下防止部材は、前記衝撃吸収手段は、屈曲したワイヤであることを特徴とする。
【００１７】
本発明にあっては、被保持部材の落下が制限されるときに生じる衝撃を、ワイヤの屈曲部分の伸縮又は不可逆的変形に伴って消費されるエネルギとして吸収するから、ワイヤのみという簡易な構成の衝撃吸収手段により被保持部材の落下が制限されるときに生じる衝撃を吸収することができる。
【００１８】
本発明に係る落下防止部材は、前記衝撃吸収手段は、複数の衝撃吸収体を直列又は並列に連結してなることを特徴とする。
【００１９】
本発明にあっては、複数の衝撃吸収体を直列又は並列に連結して衝撃吸収手段を構成してあるから、適切に衝撃吸収体を設定することにより、被保持部材の設置場所に応じて、被保持部材の落下距離、振幅等の衝撃吸収の度合いを適切に設定する、又は一つが破損しても機能させることが可能となる。
【００２０】
本発明に係る照明装置は、光源を有する照明装置本体の落下を防止すべく、該照明装置本体を落下防止部材により保持部材に保持することが可能なように構成された照明装置において、前記落下防止部材は、前述の発明に記載の落下防止部材であることを特徴とする。
【００２１】
本発明にあっては、前述の発明に記載の落下防止部材を備えているから、照明装置の落下が制限されるときに生じる衝撃を衝撃吸収手段により吸収することができ、掛止体と照明装置本体との掛止が解除されることを防止して照明装置を保持部材に保持することができ、照明装置が床面まで落下することを防止することができる。
【発明の効果】
【００２２】
本発明によれば、被保持部材が落下して床面に衝突するのを防止する際に生じる衝撃を落下防止部材の衝撃吸収手段により吸収することにより、照明装置等の被保持部材が床面まで落下することを防止することができる。
【発明を実施するための最良の形態】
【００２３】
以下、本発明をその実施の形態を示す図面に基づいて詳述する。
（実施の形態１）
図１は、本発明の実施の形態１に係る落下防止部材の模式的平面図である。落下防止部材１は、天井等の高所に設置して用いられる装置（被保持部材）を天井裏の梁等の保持部材に保持して前記装置の落下を防止すべく用いられる。
【００２４】
落下防止部材１は、被保持部材を掛止する掛止体であるフック１１を備えている。フック１１は、ステンレス鋼等の金属製であり、細長い矩形板を屈曲させて形成してある。フック１１は、図１に示すように、Ｊ字状に屈曲された掛止部１１ａを有している。掛止部１１ａの一側には、Ｃ字状に屈曲された連結部１１ｂが連設してある。連結部１１ｂには、矩形板状の押え部１１ｃが連設してあり、押え部１１ｃの端部は、掛止部１１ａに内側から当接させてある。
【００２５】
フック１１の連結部１１ｂには、衝撃吸収手段であるコイルばね１２が連結してある。図２は、図１のII−II矢視から見たコイルばねの拡大図である。コイルばね１２は、ステンレス鋼等の金属製であり、金属線を螺旋状に巻回してなるばね部１２ａと、該ばね部１２ａの両側に夫々設けられた環状の連結部１２ｂ，１２ｃとを有している。コイルばね１２は、連結部１２ｂにフック１１の連結部１１ｂを挿通させることによりフック１１に連結してある。なお、連結部１２ｂ，１２ｃは、剛性を高くすべく、２巻きにしてある。また、これらの金属部材は必要に応じて熱処理が施される。
【００２６】
コイルばね１２は、被保持部材が設置場所から落下したときに、コイルばね１２の振幅が自然長の約２倍になるように、及び振動回数が少ない回数に（好ましくは２，３回程度に）なるように設定してあることが望ましい。なお、コイルばね１２は、弾性変形の範囲内にて用いるように設定してもよいし、塑性変形させるように設定してもよい。
【００２７】
コイルばね１２の連結部１２ｃには、ステンレス鋼等の金属製のワイヤ１３が連結してある。ワイヤ１３は、一端の側をコイルばね１２の連結部１２ｃに挿通させ、環状にした状態にて円筒状のスリーブ１４ａを被せて該スリーブ１４ａを押し潰して形成された環状の連結部１３ａにより、コイルばね１２と連結してある。ワイヤ１３の他端には、同様に環状にした状態にて円筒状のスリーブ１４ｂを被せて該スリーブ１４ａを押し潰して形成された環状部１３ｂが設けてある。なお、ワイヤ１３の長さは、被保持部材の設置場所、該設置場所と保持部材との位置関係に応じて適切に設定してある。
【００２８】
この落下防止部材１は、例えば、被保持部材が約１ｋｇであり、被保持部材の設置場所と保持部材との距離が約６００ｍｍである場合、以下のように設定する。ワイヤ１３の連結部１３ａ及び環状部１３ｂ間の長さを約６００ｍｍに、ワイヤ１３の強度を被保持部材が約６００ｍｍ自然落下した場合に殆ど塑性変形しない程度の剛性を有するようにする。また、コイルばね１２の初張力が１ｋｇ以上になるようにする。
【００２９】
このように構成された落下防止部材１は、ワイヤ１３の環状部１３ｂの側を天井裏の梁等の保持部材に引っ掛け、ワイヤ１３の環状部１３ｂに落下防止部材１を他側から通すことにより、特別な固定機構を設けることなく、簡単かつ確実に、さらに張力がかかればかかるほど強固に保持部材に固定される。そして、落下防止部材１は、他側に設けられたフック１１の掛止部１１ａにて被保持部材を掛止することにより、被保持部材を保持部材に保持することが可能となる。この状態にて、被保持部材が天井等の設置場所から落下したときに、落下防止部材１に被保持部材の位置エネルギに応じた力が作用し、この作用力により主としてコイルばね１２が伸長し、該コイルばね１２の特性に応じて決まる距離（以下、距離ｘと記す）にて落下が制限される。この距離ｘは、落下前の位置エネルギがすべてコイルばねの変形に変換されると考えれば、（２ｍｇｈ／ｋ）0.5 により求められる（ここで、ｍ：質量、ｇ：重力加速度、ｈ：落下高さ、ｋ：ばね定数である）。この被保持部材が床面に衝突しないように落下が制限されるときに、落下防止部材１に大きな力が作用するが、コイルばね１２を被保持部材に応じて適切に設定することにより、被保持部材の落下が制限されるときに生じる衝撃を、コイルばね１２の伸縮又は不可逆的変形に伴って消費されるエネルギとして吸収することができ、フック１１に加わる力を小さくすることができる。この結果、フック１１の掛止部１１ａと押え部１１ｃとが離隔して被保持部材とフック１１との掛止が解除されることを防止することができ、被保持部材を保持部材に保持して被保持部材が床面まで落下することを防止することができる。
【００３０】
また、ワイヤ１３の他側にコイルばね１２を設けているから、天井裏の梁等の保持部材に落下防止部材１を取付けるときに、コイルばね１２が邪魔にならず、取付けが容易であり、またコイルばね１２の状態（変形又は破損を含む）を室内側からも確認しやすい。また、コイルばね１２を衝撃吸収手段として用いているから、コイルばね１２のみという簡易な構成にて被保持部材の落下が制限されるときに生じる衝撃を吸収することができる。
【００３１】
この落下防止部材１は、例えば、天井に開口された装着孔に装着されるダウンライト等の照明装置が床面まで落下することを防止すべく用いられる。以下、照明装置として、天井に設けられ、部屋を局所的に照明するダウンライトを例に説明する。図３は、実施の形態１に係る落下防止部材１を備える照明装置１０の外観斜視図である。図４は、照明装置１０の模式的側面図であり、一部を部分断面にて示している。
【００３２】
図において１０ａは、照明装置本体である。照明装置本体１０ａは、アルミニウム等の金属製の放熱器２を備えている。放熱器２は、図４に示すように、略円板状の伝熱板２１を有しており、伝熱板の一面２１ａには、矩形板状の複数の放熱板２２，２２…が平行をなして立設してあり、これら複数の放熱板２２，２２…の略中央を通り、該複数の放熱板２２，２２…に直交するように連結板（図示せず）が立設してある。
【００３３】
伝熱板２１の周縁部には、複数のネジ穴２１ｄ，２１ｄ…が設けてある。また、放熱器２の伝熱板２１の周縁部には、矩形板状の取付部２３，２３…が伝熱板２１の径方向に直交するように、周方向に３等配をなして立設してある。取付部２３，２３…は、複数の放熱板２２，２２…に夫々連設されて一体的に構成されており、一つの取付部２３が放熱板２２，２２…に直角をなして連設されるように配してある。取付部２３，２３…の外面２３ａ，２３ａ…は平面に形成してあり、取付部２３には、ネジ穴２３ｂ，２３ｃが上下に並設してある。なお、放熱器２は、ダイキャストにより一体成形してもよいし、切削加工により形成してもよい。また、押出加工による複数の部材を組み合わせて形成してもよい。
【００３４】
放熱器２の伝熱板２１の他面２１ｂには、光源としての複数（図において６つ）のＬＥＤモジュール３，３…が周方向に等配をなして取付けてある。ＬＥＤモジュール３，３…は、矩形のセラミック（例えば、酸化アルミニウム）基板と、該セラミック基板の一面の中央部に密集して実装された複数（例えば、３６個）のＬＥＤ素子及び該複数のＬＥＤ素子を封止し、蛍光体が分散された封止樹脂を有する発光部と、入力端子及び出力端子とを備えてなる。なお、ＬＥＤモジュール３，３…と伝熱板２１との間には、熱伝導シート又はグリースを介装する方が望ましい。これらＬＥＤモジュール３，３…の点灯に伴い該ＬＥＤモジュール３，３…にて発生する熱は、放熱器２の伝熱板２１、放熱板２２，２２…及び連結板に伝達され、自然対流により外部へ放散されることになる。
【００３５】
放熱器２の伝熱板２１の他面２１ｂの側には、反射板４が設けてある。反射板４には、該反射板４を放熱器２に取付けたときにＬＥＤモジュール３，３…に対応する位置に、ＬＥＤモジュール３，３…を取り囲むように、略半球状の凹部を有する複数の反射部４１，４１…が形成してある。反射板４は、ステンレス等の金属、反射率の高い塗料を塗布された金属又は高全反射率（約９８％）及び高拡散反射率（約９５％）という光学特性を有する超微細発泡光反射材（例えば、ＭＣＰＥＴ（登録商標））、あるいは光散乱性の金属酸化物（例えば二酸化チタン）等の材料を充填した樹脂材料（例えばポリカーボネート）により形成されている。
【００３６】
反射板４には、反射板４を放熱器２に取付けたときに伝熱板２１に設けられたネジ穴２１ｄ，２１ｄ…に対応する位置に、略円柱状の凹部を有する固定部４２，４２…が設けてある。また、反射板４の周縁には、周壁４３が立設してあり、反射板４は周壁４３の端面を伝熱板２１に当接させて、ネジ４５，４５…を反射板４の固定部４２，４２…に設けられた貫通孔に挿通させ、伝熱板２１に設けられたネジ穴２１ｄ，２１ｄ…に螺合させることにより放熱器２に固定してある。ＬＥＤモジュール３，３…からの光は、この反射板４の反射部４１，４１…にて反射されて、ＬＥＤモジュール３，３…の光軸となす角度が所定角度以下になる範囲に含まれることになり、照明装置１０の直下照度が強くなるように配光特性が制御された光が照明装置１０から出射されることになる。
【００３７】
放熱器２の伝熱板２１の側には、化粧枠５が設けてある。化粧枠５は、円筒５１と、円筒５１の一端から直交する方向に径方向に延設された環状の鍔部５２とを有してなる。円筒５１には、周方向の３カ所から鍔部５２の逆側に延設された延設部５１ａ，５１ａ…が設けてあり、該延設部５１ａ，５１ａ…には、貫通孔５１ｂ，５１ｂ…が設けてある。なお、貫通孔５１ｂ，５１ｂ…は、化粧枠５を放熱器２に取付けたときに放熱器２の取付部２３，２３…に設けられたネジ穴２３ｃ，２３ｃ…に対応する位置に夫々設けてある。この化粧枠５は、円筒５１の他端の側に反射板４を内嵌させて、延設部５１ａ，５１ａ…を放熱器２の取付部２３，２３…の外面２３ａ，２３ａ…に当接させた状態にて、ネジ５３，５３…を貫通孔５１ｂ，５１ｂ…に挿通させ、ネジ穴２３ｃ，２３ｃ…に螺合させることにより放熱器２に固定してある。化粧枠５の鍔部５２の内面には、ＬＥＤモジュール３，３…を覆うように、円板状の樹脂製のカバー６が取付けてある。カバー６は、例えば、ポリカーボネート樹脂製である。
【００３８】
また、放熱器２には、複数の板ばね７，７…が設けてある。板ばね７は、ステンレス鋼等の金属製であり、細長い矩形板を屈曲させて、図４に示すようにＶ字状に形成してある。板ばね７の一側には、矩形板状の取付部７１が設けてあり、屈曲部７２を挟んだ板ばね７の他側には、取付部７１の側に凸状に湾曲し、板ばね７の長手方向に沿う断面形状が円弧状である第１の押圧部７３及び第２の押圧部７４が連設してある。また、板ばね７の他側の端部には、第２の押圧部７４に連設された腕部７５の端部から該腕部７５に角度をなして取付部７１の逆側に折り曲げられてなる抜止部７６が設けてある。
【００３９】
このような板ばね７，７…は、ネジ２４，２４…を板ばね７，７…の取付部７１，７１…に設けられた貫通孔に挿通させ、放熱器２の取付部２３，２３…に設けられたネジ穴２３ｂ，２３ｂ…に螺合させることにより、取付部２３，２３…の外面２３ａ，２３ａ…に板ばね７，７…の取付部７１，７１…を密着させた状態にて、周方向に３等配をなして放熱器２に固定してある。なお、板ばね７の抜止部７６は、板ばね７の第１の押圧部７３及び第２の押圧部７４が天井に当接しない状態において、照明装置１０の落下を防止するために設けてある。
【００４０】
また、放熱器２の外側の放熱板２２，２２には、掛止孔２２ａ，２２ａが夫々設けてある。放熱板２２，２２に設けられた掛止孔２２ａ，２２ａのいずれか一方には、前述した本発明に係る落下防止部材１が取付けられる。この落下防止部材１により、後述するように、照明装置１０が床面まで落下することを防止することが可能となる。
【００４１】
放熱器２の外側から二枚目の放熱板２２，２２には、取付板８１，８１が夫々放熱板２２，２２と平行をなしてネジ８２，８２…により固定してある。取付板８１，８１の上部には、該取付板８１，８１に直角をなして円板８３が取付けてある。この円板８３により、照明装置本体１０ａ、特に放熱板２２，２２…の間に埃、水滴等の異物が入り込まないようにすることができ、放熱器２の放熱性能が低下することを抑制することができる。また、上の階からの水漏れ等により水滴が天井１００に落下した場合において、照明装置本体１０ａの内部に水滴が入ることを防止することができる。
【００４２】
ここで、円板８３について説明する。円板８３は、放熱器２の放熱板２２の間に埃、水滴等の異物が入り込まないように、放熱器２の上部に設けられているが、円板８３の径は放熱器２の外周の径よりも小さく、照明装置本体１０ａを上面側（ＬＥＤモジュール３，３…が取り付けられた側の反対の側）から見て放熱器２の外周の内側に円板８３が位置するように設けられていることが好ましい。これにより、後述するように、天井に設けられた装着孔に照明装置本体１０ａを天井の下側から挿入する場合に、円板８３が装着孔の周面に接触することがないので、照明装置本体１０ａを容易に天井に取り付けることが可能となる。
【００４３】
また、照明装置本体１０ａの外部には、トランス、抵抗、コンデンサ等の各種回路部品を備えてなる電源部（図示せず）が設けてある。電源部は、リード線（図示せず）及びコネクタ（図示せず）を介してＬＥＤモジュール３，３…と接続してある。コネクタを保護するコネクタカバー９１は、オスコネクタ及びメスコネクタ夫々を内部に収容可能な第１カバー構成体９１ａ及び第２カバー構成体９１ｂを備えている。第１カバー構成体９１ａと第２カバー構成体９１ｂとを係合させて一体化することにより、コネクタがコネクタカバー９１の内部に収容される。これにより、ネズミ等の害獣からコネクタを保護することができる。
【００４４】
ＬＥＤモジュール３，３…及び第１カバー構成体９１ａ間のリード線、第２カバー構成体９１ｂ及び電源部間のリード線は、夫々保護チューブ９２ａ，９２ｂにより一本に纏められており、該保護チューブ９２ａ，９２ｂの外周面には、金属製の保護スプリング９３ａ，９３ｂが外嵌させてある。これにより、ネズミ等の害獣によりリード線が齧られることを防止することができる。
【００４５】
以上のように構成された照明装置１０は、カバー６の側を下側にして、天井１００に設けられた装着孔１００ａに板ばね７，７…を介して固定され、所謂ダウンライトとして用いられる。以下、照明装置１０の取付手順について説明する。図５は、照明装置本体１０ａの天井１００の装着孔１００ａへの取付手順を説明する図である。
【００４６】
まず、落下防止部材１のワイヤ１３の環状部１３ｂの側を保持部材である天井裏の梁１０１に引っ掛け、ワイヤ１３の環状部１３ｂに落下防止部材１を他側から通すことにより、図３に示すように、落下防止部材１を梁１０１に固定する。次に、落下防止部材１のフック１１を掛止孔２２ａ，２２ａのいずれか一方に引っ掛ける。これにより、落下防止部材１は、照明装置本体１０ａを梁１０１に懸吊することにより保持することが可能となる。この状態にて、板ばね７，７…の腕部７５，７５…の側を照明装置本体１０ａの側に押し付けた状態にて、図５（ａ）に示すように、天井１００に設けられた装着孔１００ａに天井１００の下側から照明装置本体１０ａを若干斜めにした状態にて、図中に白抜き矢符にて示すように挿入する。そして、図５（ｂ）に示すように、装着孔１００ａに放熱器２の上部に設けられた円板８３を挿通させる。その後、図５（ｃ）に示すように、板ばね７，７…から手を離して、照明装置本体１０ａを図中に白抜き矢符にて示すように上方向に移動させ、装着孔１００ａにさらに押し込む。この状態において、板ばね７，７…の弾性変形に応じて生じる付勢力により、板ばね７，７…の第１の押圧部７３及び第２の押圧部７４のいずれか一方が天井１００の装着孔１００ａの上縁部に斜め上側から押し付けられる。この結果、天井１００に下方向の力が作用し、この反作用により化粧枠５が板ばね７，７…から上方向の力を受け、鍔部５２の上面が天井１００の下面に圧着することになり、図５（ｄ）に示す如く、照明装置１０が天井１００の装着孔１００ａに固定されることになる。
【００４７】
このように固定された照明装置１０は、例えば、地震等の災害時に、抜止部７６，７６…が照明装置本体１０ａを保持できないことにより、又は天井１００の破損により、天井１００から脱落することがある。このときに、前述した如く、落下防止部材１のコイルばね１２により、照明装置本体１０ａが床面に衝突しないように落下が制限されるときに生じる衝撃を吸収することができるから、フック１１に加わる力を小さくすることができる。この結果、コイルばね１２のみという簡易な構成の衝撃吸収手段により、フック１１の掛止部１１ａと押え部１１ｃとが離隔して照明装置本体１０ａとフック１１との掛止が解除されることを防止することができ、照明装置本体１０ａを梁１０１に懸吊することにより保持して照明装置本体１０ａが床面まで落下することを防止することができる。
【００４８】
また、本発明の照明装置１０は軽量かつ小型であるＬＥＤを光源として用いており、アルミニウム製の放熱器２の照明装置１０全体の重量に占める割合が大である。照明装置本体１０ａを放熱器２に設けられた掛止孔２２ａ，２２ａにて落下防止部材１の掛止体１１に掛止することにより、照明装置本体１０ａを梁１０１にワイヤ１３にて懸吊して保持するようにしてあるから、懸吊時における照明装置本体１０ａの揺動、破損等を抑制することができる。
【００４９】
（実施の形態２）
図６は、本発明の実施の形態２に係る落下防止部材の模式的平面図である。本実施の形態に係る落下防止部材１ａは、衝撃吸収手段として、衝撃吸収体であるコイルばね１２，１２を２つ備えてなる。落下防止部材１ａのワイヤ１３の環状の連結部１３ａとフック１１の連結部１１ｄとの間には、２つのコイルばね１２，１２が並列に連結してある。その他の構成は、図１に示す実施の形態１と同様であるため、対応する構成部材に図１と同一の参照符号を付して、その構成の詳細な説明を省略する。
【００５０】
このように構成された落下防止部材１ａは、前述した実施の形態１に係る落下防止部材１と同様に、落下防止部材１ａのコイルばね１２，１２により、被保持部材が床面に衝突しないように落下が制限されるときに生じる衝撃を吸収することができるから、フック１１に加わる力を小さくすることができる。この結果、コイルばね１２，１２のみという簡易な構成の衝撃吸収手段により、フック１１の掛止部１１ａと押え部１１ｃとが離隔して被保持部材とフック１１との掛止が解除されることを防止することができ、被保持部材を保持部材に懸吊することにより保持して保持部材が床面まで落下することを防止することができる。
【００５１】
２つのコイルばね１２，１２を並列に設けているから、一つが破損しても衝撃吸収手段として機能させることができる。また、例えば、コイルばね１２，１２に特性の異なるコイルばねを用いて、段階的にコイルばね１２，１２を衝撃吸収手段として機能させることにより、被保持部材の設置場所に応じて、落下防止部材１ａの衝撃吸収の度合いを適切に設定することが可能となる。
【００５２】
本実施の形態に係る落下防止部材１ａは、実施の形態１に係る落下防止部材１と同様に、照明装置１０に適用することができ、照明装置本体１０ａとフック１１との掛止が解除されることを防止して、照明装置本体１０ａを梁１０１に懸吊することにより保持して照明装置本体１０ａが床面まで落下することを防止することができる。また、照明装置本体１０ａを放熱器２に設けられた掛止孔２２ａ，２２ａにて落下防止部材１ａの掛止体１１に掛止することにより、懸吊時における照明装置本体１０ａの揺動、破損等を抑制することができる。
【００５３】
なお、本実施の形態において、２つのコイルばね１２，１２を用いているが、２つに限定されず、３つ以上であってもよい。
【００５４】
（実施の形態３）
図７は、本発明の実施の形態３に係る落下防止部材の模式的平面図である。本実施の形態に係る落下防止部材１ｂは、衝撃吸収手段として、衝撃吸収体であるコイルばね１２，１２…を３つ備えてなる。落下防止部材１ｂのワイヤ１３の環状の連結部１３ａとフック１１の連結部１１ｂとの間には、３つのコイルばね１２，１２…が直列に連結してある。その他の構成は、図１に示す実施の形態１と同様であるため、対応する構成部材に図１と同一の参照符号を付して、その構成の詳細な説明を省略する。
【００５５】
このように構成された落下防止部材１ｂは、前述した実施の形態１に係る落下防止部材１と同様に、落下防止部材１ｂのコイルばね１２，１２…により、被保持部材が床面に衝突しないように落下が制限されるときに生じる衝撃を吸収することができるから、フック１１に加わる力を小さくすることができる。この結果、コイルばね１２，１２…のみという簡易な構成の衝撃吸収手段により、フック１１の掛止部１１ａと押え部１１ｃとが離隔して被保持部材とフック１１との掛止が解除されることを防止することができ、被保持部材を保持部材に懸吊することにより保持して保持部材が床面まで落下することを防止することができる。
【００５６】
３つのコイルばね１２，１２…を直列に設けているから、例えば、コイルばね１２，１２…に特性の異なるコイルばねを用いて、段階的にコイルばね１２，１２…を衝撃吸収手段として機能させることにより、被保持部材の設置場所に応じて、落下防止部材１ｂの衝撃吸収の度合いを適切に設定することが可能となる。
【００５７】
本実施の形態に係る落下防止部材１ｂは、実施の形態１に係る落下防止部材１と同様に、照明装置に適用することができ、照明装置本体１０ａとフック１１との掛止が解除されることを防止して、照明装置本体１０ａを梁１０１に懸吊することにより保持して照明装置本体１０ａが床面まで落下することを防止することができる。また、照明装置本体１０ａを放熱器２に設けられた掛止孔２２ａ，２２ａにて落下防止部材１ｂの掛止体１１に掛止することにより、懸吊時における照明装置本体１０ａの揺動、破損等を抑制することができる。
【００５８】
なお、本実施の形態において、３つのコイルばね１２，１２…を用いているが、３つに限定されず、２つでも４つ以上であってもよい。
【００５９】
また、実施の形態２においては、複数のコイルばねを並列に設けており、実施の形態３においては、複数のコイルばねを直列に設けているが、これらを組み合わせてもよい。
【００６０】
（実施の形態４）
以上の実施の形態においては、落下防止部材の衝撃吸収手段としてコイルばねを用いているが、衝撃吸収手段はコイルばねに限定されない。図８は、他の衝撃吸収手段の模式図である。
【００６１】
図において１５は、矩形状のばね部１５ａと、該ばね部１５ａの両端に延設され、取付孔１５ｃ，１５ｃが設けられた三角形状の取付部１５ｂ，１５ｂとを有してなる板状のばねである。この板状のばね１５は、ステンレス鋼等の金属製である。ばね部１５ａには、図８に示すように、板状のばね１５の長手方向に直交する方向に複数のスリット１５ｄ，１５ｄ…が設けてある。この板状のばね１５は、実施の形態１乃至３に係る落下防止部材のコイルばねに代えて用いられる。例えば、図１に示す実施の形態１に係る落下防止部材において、板状のばね１５は、コイルばね１２に代えて、取付孔１５ｃ，１５ｃにフック１１の連結部１１ｂ及びワイヤ１３の連結部１３ａを夫々挿通させることにより、フック１１及びワイヤ１３に連結させて用いられる。
【００６２】
この構成において、被保持部材の落下の制限に伴って落下防止部材に対して生じる衝撃に応じて、板状のばね１５に力が作用する。図９は、板状のばね１５の動作説明図である。図９（ａ）は、落下防止部材に対して生じる衝撃が小さい場合を示しており、図９（ｂ）は、落下防止部材に対して生じる衝撃が大きい場合を示している。
【００６３】
板状のばね１５に力が作用していない初期状態においては、図８に示すように、ばね部１５ａに設けられたスリット１５ｄ，１５ｄ…は閉じた状態である。被保持部材の落下の制限に伴って落下防止部材に対して生じる衝撃に応じて板状のばね１５に力が作用したとき、ばね部１５ａには、スリット１５ｄ，１５ｄ…が設けてあることにより取付部１５ｂ，１５ｂよりも大きな応力が生じる。この応力に応じて、ばね部１５ａが伸長し、スリット１５ｄ，１５ｄ…が開いて、図９（ａ）に示す状態となる。このときのばね部１５ａの変形は弾性変形であり、板状のばね１５に作用する力がなくなると、図８に示す状態に戻る。さらに大きな力が板状のばね１５に作用したとき、ばね部１５ａがさらに伸長し、スリット１５ｄ，１５ｄ…が大きく開いて、図９（ｂ）に示す状態となる。このときのばね部１５ａの変形は塑性変形であり、板状のばね１５に作用する力がなくなっても、図８に示す状態には戻らない。
【００６４】
このように、落下防止部材に対して生じる衝撃が小さい場合は、板状のばね１５の弾性変形により衝撃を吸収する一方、落下防止部材に対して生じる衝撃が大きい場合は、板状のばね１５の塑性変形により被保持部材の落下に伴う運動エネルギを積極的に消費して衝撃を吸収することができるから、被保持部材が床面に衝突しないように落下が制限されるときに生じる衝撃を十分に吸収することができ、フック１１に加わる力を小さくすることができる。この結果、板状のばね１５のみという簡易な構成の衝撃吸収手段により、フック１１の掛止部１１ａと押え部１１ｃとが離隔して被保持部材とフック１１との掛止が解除されることを防止することができ、被保持部材を保持部材に懸吊することにより保持して保持部材が床面まで落下することを防止することができる。
【００６５】
本実施の形態に係るばねを有する落下防止部材は、実施の形態１乃至３に係る落下防止部材と同様に、照明装置に適用することができ、照明装置本体１０ａとフック１１との掛止が解除されることを防止して、照明装置本体１０ａを梁１０１に懸吊することにより保持して照明装置本体１０ａが床面まで落下することを防止することができる。また、照明装置本体１０ａを放熱器２に設けられた掛止孔２２ａ，２２ａにて落下防止部材の掛止体１１に掛止することにより、懸吊時における照明装置本体１０ａの揺動、破損等を抑制することができる。
【００６６】
本実施の形態においては、板状のばね１５を一つのみを用いた場合を例に説明したが、これに限定されず、実施の形態に係る落下防止部材の如く、複数のばねを並列に設けてもよいし、実施の形態３に係る落下防止部材の如く、複数のばねを直列に設けてもよいし、これらを組み合わせてもよい。
【００６７】
なお、以上の実施の形態においては、落下防止部材の衝撃吸収手段として、コイルばね又はその伸長方向に交叉する方向に複数のスリットが並設された板状のばねを用いているが、これらに限定されず、落下防止部材に対する衝撃を吸収することができる部材であればよい。また、衝撃吸収手段の材料として、記憶形状合金を用いてもよい。この場合、衝撃吸収手段が落下防止部材に対する衝撃を吸収して変形しても、形状が変形前の状態に戻るので、衝撃吸収手段を繰り返し使用することが可能となる。
【００６８】
また、以上の実施の形態においては、衝撃吸収手段とフックとを別体に形成しているが、一体形成してもよい。
【００６９】
また、以上の実施の形態に係るワイヤ及び／又は衝撃吸収手段の表面に樹脂をコーティングして、該樹脂の変形等により衝撃を吸収するようにしてもよい。
【００７０】
また、以上の実施の形態においては、落下防止部材のワイヤ、衝撃吸収手段及びフックを金属製としているが、これに限定されず、樹脂製であってもよく、また、ガラス繊維や炭素繊維を含んだ強化樹脂製でもよい。さらに、落下防止部材の途中にスイベル等のねじれ防止の機構を設けてもよい。
【００７１】
また、以上の実施の形態においては、保持部材として天井裏の梁を例示しているが、これに限定されず、保持部材は天井裏に設置される照明装置の電源部であってもよい。電源部は天井裏に配設されている電力線に接続されて固定されているので、被保持部材である照明装置本体と電源部との間を落下防止部材で接続することで、上述したような効果を得ることができる。
【００７２】
このように電源部を保持部材として用いる場合に、落下防止部材として実施の形態１乃至４に係る落下防止部材を用いることができる。また、衝撃吸収部材としてワイヤを屈曲させて、ワイヤの屈曲部分の伸縮又は不可逆的変形により衝撃を吸収するように構成された屈曲ワイヤを有する落下防止部材を用いることができる。
【００７３】
図１０は、落下防止部材として屈曲ワイヤを用いて照明装置本体１０ａ及び電源部間を接続した例を示す図である。図において１６は、ワイヤを屈曲させて、ワイヤの屈曲部分の伸縮又は不可逆的変形により衝撃を吸収するように構成された屈曲ワイヤである。コネクタカバー９１の第１カバー構成体９１ａ及び第２カバー構成体９１ｂ、及び電源部９の電源カバーには、夫々ワイヤを挿通する挿通孔９１ｃ，９１ｄ，９ａが設けてある。一方の屈曲ワイヤ１６は、屈曲ワイヤ１６の一端及び他端の側を放熱器２の放熱板２２に設けられた掛止孔２２ａ及び第１カバー構成体９１ａに設けられた挿通孔９１ｃに夫々挿通させてスリーブ１４ａ，１４ａにより環状に形成された連結部１６ａ，１６ａにより、照明装置本体１０ａの放熱器２とコネクタカバー９１との間を接続している。他方の屈曲ワイヤ１６は、屈曲ワイヤ１６の一端及び他端の側を第２カバー構成体９１ｂ及び電源部９の電源カバーに設けられた挿通孔９１ｄ，９ａに夫々挿通させてスリーブ１４ａ，１４ａにより環状に形成された連結部１６ａ，１６ａにより、コネクタカバー９１と電源部９との間を接続している。
【００７４】
本構成とすることにより、照明装置本体１０ａが天井の装着孔から落下しようとした場合であっても、屈曲ワイヤ１６，１６自体が衝撃吸収部材として作用して、照明装置が床面に衝突しないように懸吊して保持することができる。より詳細には、屈曲ワイヤ１６，１６の屈曲部分が伸びることによって、落下防止部材又は放熱器２、コネクタカバー９１及び電源部９に取り付けられた落下防止部材の掛止部に加わる衝撃を吸収することができる。
【００７５】
また、落下防止部材として屈曲ワイヤ１６，１６を用いた場合は、屈曲ワイヤ１６，１６は屈曲部を伸ばした長さが、照明装置本体１０ａ、コネクタカバー９１及び電源部９のそれぞれの間のケーブル９２ａ，９２ｂの長さよりも短いことが好ましい。よって、落下の際の衝撃がケーブル９２ａ，９２ｂに加わらないようにすることができる。なお、照明装置本体１０ａと電源部９を屈曲ワイヤで直接接続していてもよい。
【００７６】
また、実施の形態１乃至４においては、電源部とＬＥＤモジュール３，３…とを接続するリード線を保護する保護チューブ及び保護スプリングを設け、落下防止部材を別途設けている。前記リード線及び該リード線の保護部材を適切に設定することにより、落下防止部材を兼ねるように構成してもよい。この場合、リード線を一本に纏める保護チューブとして可撓性を有する部材、例えばスプリングケーブルを用い、該スプリングケーブルを所定の剛性を有するようにすればよい。
【００７７】
また、以上の実施の形態においては、照明装置の光源として複数のＬＥＤ素子が実装されてなるＬＥＤモジュール３，３…を用いているが、これに限定されず、高輝度のＬＥＤチップ、ＥＬ（Ｅｌｅｃｔｒｏ  Ｌｕｍｉｎｅｓｃｅｎｃｅ）、蛍光灯、電球等を用いてもよい。
【００７８】
また、以上の実施の形態においては、照明装置としてダウンライトを例に説明したが、これに限定されず、他のタイプの照明装置にも本発明に係る落下防止部材は適用可能である。例えば、天井に設けられ、部屋全体を照明する扁平な直方体形状を有するシーリングライトにも適用可能である。この場合、照明装置本体のうち最も重い部材に落下防止部材の掛止体を取付けることが好ましく、また照明装置本体の寸法に応じて複数箇所（例えば、照明装置本体の上面の４隅のうち対角線上の２箇所）に落下防止部材の掛止体を取付けることが好ましい。
【００７９】
また、本発明は、照明装置に限定されず、照明装置以外の天井に設置される例えば空気調和装置や監視カメラ等の機器にも適用可能である。さらに、天井面に限定されず、壁面等の設置面に設置される照明装置等の機器に対しても同様に適用可能である。その他、特許請求の範囲に記載した事項の範囲内において種々変更した形態にて実施することが可能であることは言うまでもない。
【図面の簡単な説明】
【００８０】
【図１】本発明の実施の形態１に係る落下防止部材の模式的平面図である。
【図２】図１のII−II矢視から見たコイルばねの拡大図である。
【図３】実施の形態１に係る落下防止部材を備える照明装置の外観斜視図である。
【図４】照明装置の模式的側面図である。
【図５】照明装置本体の天井の装着孔への取付手順を説明する図である。
【図６】本発明の実施の形態２に係る落下防止部材の模式的平面図である。
【図７】本発明の実施の形態３に係る落下防止部材の模式的平面図である。
【図８】他の衝撃吸収手段の模式図である。
【図９】板状のばねの動作説明図である。
【図１０】落下防止部材として屈曲ワイヤを用いて照明装置本体及び電源部間を接続した例を示す図である。
【符号の説明】
【００８１】
１，１ａ，１ｂ  落下防止部材
２  放熱器
３  ＬＥＤモジュール（光源）
１０  照明装置（被保持部材）
１０ａ  照明装置本体
１１  フック（掛止体）
１２  コイルばね（衝撃吸収体、衝撃吸収手段）
１３  ワイヤ
１５  板状のばね（衝撃吸収体、衝撃吸収手段）
１５ｄ  スリット
１６  屈曲ワイヤ（衝撃吸収体、衝撃吸収手段）
１０１  保持部材
【図１】
2010009984.tif 000003
【図２】
2010009984.tif 000004
【図３】
2010009984.tif 000005
【図４】
2010009984.tif 000006
【図５】
2010009984.tif 000007
【図６】
2010009984.tif 000008
【図７】
2010009984.tif 000009
【図８】
2010009984.tif 000010
【図９】
2010009984.tif 000011
【図１０】
2010009984.tif 000012